(57)【要約】【課題】  脱穀装置内機器へのメインテナンス作業、及び、チョッパーとカバーとの間のメインテンス作業を円滑に行うことのできるようにする。【解決手段】  チョッパー４１をカバー５５と一体で脱穀装置３に対して左右揺動開放可能に構成する。カバー５５をチョッパー４１に対して上方に揺動開閉可能に構成してある。【選択図】        図６
2005102505.tif 000002
【特許請求の範囲】
【請求項１】
走行機体に脱穀装置を搭載するとともに前記脱穀装置の後方に、前記脱穀装置からの排ワラを処理する排ワラ処理装置を設けてあるコンバインであって、
前記排ワラ処理装置を排ワラ処理装置本体とその本体に対するカバーとで構成し、前記排ワラ処理装置本体と前記カバーとを一体で前記脱穀装置に対して離間する非処理姿勢に開放自在に構成するとともに、前記カバーを前記排ワラ処理装置本体に対して離間する非処理姿勢に開放自在に構成してあるコンバインの排ワラ処理装置取り付け構造。
【請求項２】
前記脱穀装置の横側位置に穀粒貯留装置を配置するとともに、排ワラ処理装置本体を前記非処理姿勢に切り換えるに、前記脱穀装置の後方で前記穀粒貯留装置の存在側に揺動支点を設けて、その揺動支点周りに前記排ワラ処理装置本体を後方に向けて揺動開放すべく構成してある請求項１記載のコンバインの排ワラ処理装置取り付け構造。
【請求項３】
前記カバーが前記排ワラ処理装置本体に対して着脱自在である請求項１又は２記載のコンバインの排ワラ処理装置取り付け構造。
【請求項４】
前記カバーを前記排ワラ処理装置本体に対して揺動開閉自在に取り付けるとともに、揺動開閉支点部を支点ピンとその支点ピンを支持する支持ボスとで構成し、前記支点ピンと前記支持ボスとを挿入離脱自在に構成してある請求項３記載のコンバインの排ワラ処理装置取り付け構造。
【発明の詳細な説明】
【技術分野】
【０００１】
本発明は、走行機体に脱穀装置を搭載するとともに前記脱穀装置の後方に、前記脱穀装置からの排ワラを処理する排ワラ処理装置を設けてあるコンバインに関する。
【背景技術】
【０００２】
脱穀装置と穀粒貯留装置とを左右に並設するとともに、脱穀装置における前記穀粒貯留装置存在側とは反対側の横側面に縦向き軸芯を介して排ワラ処理装置を後方に向けて揺動開閉自在に取付け、前記排ワラ処理装置を前記脱穀装置に対して離間する非処理姿勢に開放自在に構成してあった（特許文献１参照）。
【０００３】
【特許文献１】特開平１０−２１５６５８号公報（段落番号〔００１６〕及び、図１，５）
【発明の開示】
【発明が解決しようとする課題】
【０００４】
上記構成においては、排ワラ処理装置を後方に開放できるだけであるので、排ワラ処理装置の外装ケースとその排ワラ処理装置の具体的手段であるチョッパー等の排ワラ細断刃との間に詰まっているワラ屑等を取り除く必要があっても、排ワラ処理装置の開放面側からは詰まり部位が手の届きにくい背面側になるので、メインテナンス作業が困難な状況になっていた。
一方、排ワラ処理装置をチョッパー等を備えた排ワラ処理装置本体とその本体を覆うカバーとを設け、カバーを後方に開放するだけの構成を採ることも考えられるが、この場合には排ワラ処理装置本体が開放できないので、脱穀装置内のチャフシーブ等に対するメインテナンス作業が困難になる欠点があった。
排ワラ処理装置を揺動開閉する縦向き軸芯の設置位置が脱穀装置における穀粒貯留装置存在側とは反対側の横側面に設けてあるので、排ワラ処理装置を後ろ向きに開放した場合に、排ワラ処理装置が走行機体の横側方へはみ出すことになる。そのために、排ワラ処理装置に近接して壁面が有る場合は十分に開放できず、メインテナンス作業姿勢が窮屈になる欠点や、十分に開放できるとしても大きく機体外側にはみ出すことになるので、他物が接触する等の欠点がある。
【０００５】
本発明の目的は、脱穀装置内機器のみならず、排ワラ処理装置内での詰まり等を容易に取り除き回復作業を行い得るコンバインの排ワラ処理装置取り付け構造を提供する点にある。
【課題を解決するための手段】
【０００６】
〔構成〕
請求項１に係る発明の特徴構成は、前記排ワラ処理装置を排ワラ処理装置本体とその本体に対するカバーとで構成し、前記排ワラ処理装置本体と前記カバーとを一体で前記脱穀装置に対して離間する非処理姿勢に開放自在に構成するとともに、前記カバーを前記排ワラ処理装置本体に対して離間する非処理姿勢に開放自在に構成してある点にあり、その作用効果は次の通りである。
【０００７】
〔作用〕
排ワラ処理装置を、排ワラを細断処理する本体部分とその本体を覆うカバーとで構成し、排ワラ処理装置本体をカバーとともに一体で揺動開閉できるので、脱穀装置内機器を目視しながら或いは脱穀装置外へ取り出すことによってメインテナンス作業を行うことができる。カバーを排ワラ処理装置本体に対して開放して、そのカバーと排ワラ処理装置本体との間に詰まった藁等を視認しながら取り除くことができる。
【０００８】
〔発明の効果〕
したがって、脱穀装置内のみならず排ワラ処理装置へのメインテナンス作業を容易に行えるようになった。
【０００９】
〔構成〕
本発明のうちの請求項２記載の発明では、上記請求項１記載の発明において、前記脱穀装置の横側位置に穀粒貯留装置を配置するとともに、排ワラ処理装置本体を前記非処理姿勢に切り換えるに、前記脱穀装置の後方で前記穀粒貯留装置の存在側に揺動支点を設けて、その揺動支点周りに前記排ワラ処理装置本体を後方に向けて揺動開放すべく構成してある点にあり、その作用効果は次の通りである。
【００１０】
〔作用〕
排ワラ処理装置本体を非処理姿勢に切り換えるのに、穀粒貯留装置の存在側に揺動支点を定めたので、壁面や他の機械が隣接していても、後方に向けて十分開放することができる。
【００１１】
〔効果〕
したがって、排ワラ処理装置本体を開放する度合いに規制がなく、メインテナンスが容易である。
【００１２】
〔構成〕
本発明のうちの請求項３記載の発明では、上記請求項１又は２記載の発明において、前記カバーが前記排ワラ処理装置本体に対して着脱自在である点にあり、その作用効果は次の通りである。
【００１３】
〔作用効果〕
カバーを取り外すことができるので、開放状態と取り外し状態とをメインテナンス作業に応じて使い分けることができ、作業がより容易に行うことができる。
【００１４】
〔構成〕
本発明のうちの請求項４記載の発明では、上記請求項３記載の発明において、前記カバーを前記排ワラ処理装置本体に対して揺動開閉自在に取り付けるとともに、揺動開閉支点部を支点ピンとその支点ピンを支持する支持ボスとで構成し、前記支点ピンと前記支持ボスとを挿入離脱自在に構成してある点にあり、その作用効果は次の通りである。
【００１５】
〔作用効果〕
カバーを取り外すのに、支点ピンと支持ボスとの係合状態を解除する操作を行えばよく、ボルト等の工具での操作を必要とするものに比べてカバーの取り外し操作が容易迅速に行うことができる。
【発明を実施するための最良の形態】
【００１６】
以下、本発明の実施の形態を図面に基づいて説明する。
図１，図２に全稈投入型のコンバインを示している。この全稈投入型のコンバインは、左右一対のクローラ走行装置１に支持させた走行機体２に脱穀装置３を搭載し、刈取前処理部４と刈取り穀稈搬送用のフィーダー５とを一体に連結した状態で、フィーダー５の後端部を走行機体２に横軸芯Ｏ周りに揺動自在に支持させ、運転座席を備えたキャビン７をフィーダー５の右外方に位置する状態に走行機体２に配備し、脱穀装置３の右外方でキャビン７の後方に穀粒貯留装置としてのグレンタンク９を配設し、脱穀装置３の揺動選別装置６の後方に排ワラ処理装置を設けてあり、排ワラ処理装置として、扱室１６の終端の排塵口４６からのワラ屑を細断するチョッパー４１を設けて構成してある。
【００１７】
前記刈取前処理部４は、植立穀稈を引起こしながら機体後方に掻込むリール１０と、掻込まれた穀稈を刈取るバリカン型刈取装置１１と、刈取った穀稈を刈り幅の一箇所に集めるオーガー（図示せず）とを設けて構成し、前記フィーダー５はオーガーで集めた穀稈を脱穀装置３に搬送すべく構成してある。
【００１８】
図３に示すように前記脱穀装置３は、フィーダー５の終端に連通した前記扱室１６に前後方向で水平に扱胴１７を軸支し、扱室１６の下方に選別部１８を配置し、扱室１６から選別部１８に処理物を漏下供給する受網１９を設けた構造となっている。前記扱胴１７は、円筒ドラム４５の外周面に螺旋状扱歯４４を設けてある。
【００１９】
次に、排ワラ処理装置の一例としてのチョッパー４１について説明する。図３に示すように、チョッパー４１は外装ケース２６内に設けてあり、外装ケース２６は、左右の側板２７と、左右の側板２７を連結する上下板２８とで矩形に形成してあり、前面と後面と開放し、それら前面開口２６Ａと後面開口２６Ｂとを形成している。チョッパー４１は、左右側板２７に亘って支持されており、左右に亘って駆動回転軸２９を支承し、駆動回転軸２９に対してドラム３０を一体回転自在に取り付け固定してある。ドラム３０には複数個の回転刃４１Ａが立設されるとともに、回転刃４１Ａの下方の受刃台に受刃４１Ｂを固定して、ワラ屑を細断処理して放出するべく形成してある。
【００２０】
図３，４及び図６に示すように、駆動回転軸２９の一端を軸受部３１よりグレンタンク９とは反対側の外向きに突設させるとともに、突設端に入力プーリ３２を一体回転状態で取り付け、伝動ベルト３３に対して緊張力を付与するテンション機構Ｔとしてのテンションプーリ用揺動アーム３４を遊嵌支持させている。テンションプーリ用揺動アーム３４は、ベルクランク状に形成してあり、ベルクランクの一端にテンションプーリ３５が取り付けてある。
脱穀装置３の側面には、出力プーリ３６が設けてあり、この出力プーリ３６と入力プーリ３２とに渡って伝動ベルト３３を掛け渡して、脱穀装置３よりチョッパー４１に動力を伝達するように構成してある。
【００２１】
図６，７及び図１０に示すように、外装ケース２６のグレンタンク側の側板２７に、外装ケース２６をチョッパー４１とともに左右に横向き開放する揺動支点としての支点部４７を形成している。支点部４７は縦向きの角パイプ状の基端フレーム４７Ａを取り付けるとともにその基端フレーム４７Ａの上下二箇所より四角パイプ４７Ｂを横向きに延設し、その四角パイプ４７Ｂに夫々支持軸４７Ｃを差込み固定してある。
この支持軸４７Ｃを後記する支持フレーム４８に形成した受けボス５０Ｄ内に差し込み装着することによって、外装ケース２６を揺動開閉自在に構成する。
【００２２】
支持フレーム４８について説明する。図６〜８に示すように、支持フレーム４８は、走行機体２の機体フレーム２Ａ後端に対して着脱自在な基端フレーム部４９とその基端フレーム部４９の後端から立上げ形成してある取付フレーム部５０とで構成してある。基端フレーム部４９の前端にチャンネル枠４９Ａを設けるとともにチャンネル枠４９Ａの下面に機体フレーム２Ａに対する差込係合片４９Ｂを前方に向けて突設してある。
差込係合片４９Ｂを機体フレーム２Ａに差込み係合し、チャンネル枠４９Ａを機体フレーム２Ａにボルト止めすることによって、支持フレーム４８を走行機体２に対して着脱自在に構成してある。
【００２３】
支持フレーム４８の取付フレーム部５０の構成について説明する。図６，７及び図１０に示すように、四角形断面のフレーム材５０ａを四辺に配置して組み合わせたフレーム枠５０Ａの下端にフランジ部５０Ｂを設けて、このフランジ部５０Ｂを基端フレーム部４９にボルト連結して、取付フレーム部５０を基端フレーム部４９に取付固定するとともに、グレンタンク９側のフレーム材５０ａの近くに角型フレーム５０Ｃを立設するとともに、フレーム材５０ａと角型フレーム５０Ｃとをそれらの上下端同士を連結するフランジ部５０Ｂで固定連結してある。
【００２４】
角型フレーム５０Ｃの上下二箇所より後方側に向けて、夫々、板状ブラケット５０ｂを突設するとともに、板状ブラケット５０ｂの先端に受けボス５０Ｄを取り付けて、前記したように、チョッパ４１側の支持軸４７Ｃをその受けボス５０Ｄに差込み、チョッパ４１の揺動開閉を可能に構成する。
【００２５】
外装ケース２６の閉じ姿勢を固定するロック機構５２について説明する。図４及び図５に示すように、グレンタンク９の存在側とは反対側のフレーム材５０ａに係合ピン５２Ａを突設する。外装ケース２６のグレンタンク９の存在側とは反対側の側面に、外装ケース２６を閉じ姿勢に切り換えた状態で係合ピン５２Ａに外嵌する係合ブラケット５２Ｂを取り付けてある。図９に示すように、係合ブラケット５２Ｂには、前端部に後向きに凹入する係合凹部５２ｂが形成されており、この係合凹部５２ｂが係合ピン５２Ａに外嵌係合して、外装ケース２６とフレーム枠５０Ａとの位置決めを行う。係合ブラケット５２Ｂは、前後中間位置に設けた枢支点５２ａで天秤揺動自在に支持されているとともに、後端部に揺動を一定範囲に規制する長孔融通５２ｃを設けて、係合ピン５２Ａとの多少の位置ズレがあっても係合を可能とする構成を採っている。
【００２６】
図６及び図７に示すように、枢支点５２ａ位置には、揺動自在にロック片５２Ｃが軸支してあり、外装ケース２６の閉じ姿勢において、ロック片５２Ｃが係合ピン５２Ａに係合して、その閉じ姿勢をロックするようになっている。ロック片５２Ｃには係合方向に付勢する付勢バネ５２Ｄを作用させてあるともに、ロック片５２Ｃを操作する操作レバー５２Ｅがそのロック片５２Ｃに取り付けてある。
図３〜図７に示すように、フレーム枠５０Ａの左右の縦フレーム材５０ａの下端近くには、後方に向けて支持部材５４，５４を突設してあり、この支持部材５４，５４で、閉じ姿勢に切り換わるべく近接作動する外装ケース２６の両側板２７の下端を受止め載置する構成となっている。支持部材５４の先端は下向きの傾斜面５４ａとなっており、近接する両側板２７をガイドする構成を採っている。
【００２７】
図１〜図５に示すように、チョッパー４１を収納した外装ケース２６の後端に上方揺動自在に連結され、チョッパー４１で細断された藁屑をグレンタンク９側に寄った位置に案内するカバー５５を設けてある。
図１０に示すように、外装ケース２６の上面後端位置で左右の二箇所とカバー５５の上面前端位置で左右二箇所に、カバー５５を揺動開放する揺動開閉支点部５６を設けてある。揺動開閉支点部５６は、外装ケース２６に設けた支点ピン５６Ａとカバー５５に設けた支持ボス５６Ｂとで構成してある。支点ピン５６Ａは外装ケース２６に取り付けたホルダー５６Ｃより突出されており、カバー５５側に設けた支持ボス５６Ｂを外嵌することによって嵌係合させて、カバー５５を支点ピン５６Ａの軸芯周りで上方に揺動開閉自在に構成してある。
図３に示すように、カバー５５を揺動開放した状態では、カバー５５自体の重心位置が揺動支点を越えて前方側に位置することになるので、揺動開放状態を維持するためのロック金具等を必要としない。
【００２８】
図１０に示すように、外装ケース２６の後端開口部における左右側板２７，２７に、夫々、左右一対の位置決めピン５７，５７が突設してあり、閉じ姿勢のカバー５５に係合して、カバー５５の閉塞姿勢での左右の位置決めを行うようにしてある。
閉塞姿勢のカバー５５を開放姿勢に切り換えるには、作業者がカバー５５を有る程度持ち上げて位置決めピン５７，５７の規制を解除するとともに、カバー５５を支点ピン５６Ａの軸線方向に沿って横向きに移動させると、支点ピン５６Ａと支持ボス５６Ｂとの係合状態を解除し、カバー５５を採り外すことができる。
【００２９】
揺動開閉支点部５６の構造としては、次のようなものであってもよい。図１１（ロ）に示すように、支点ピン５６Ａをカバー５５に支持ボス５６Ｂを外装カバー２６に設けてよい。或いは、図１１（ハ）に示すように、カバー５５と外装カバー２６とに支持ボス５６Ｂを夫々設け、支点ピン５６Ａを両支持ボス５６Ａに挿通することによって、カバー５５の揺動開閉を可能に構成してもよい。
【００３０】
次に、カバー５５の閉塞状態を維持するバックル式の留金具５８，５８に付いて説明する。図１０、１１に示すように、カバー５５の両側面に引っ掛け金具５８Ａを夫々設けるとともに、外装ケース２６の対応する部分に受け金具５８Ｂを夫々設け、カバー５５を閉塞姿勢に設定した状態で、引っ掛け金具５８Ａの先端揺動部５８ａを受け金具５８Ｂに係止して、ロック状態を現出することができる。
尚、図４に示すように、カバー５５の左側面に突設してある丸棒枠材５９は、出力プーリ３６等の駆動部を覆う車体カバー６０のロック金具６０Ａに対する係止部材である。
【００３１】
図４及び図５に示すように、支持フレーム４８は走行機体２の機体フレーム２Ａに対して着脱自在であるところから、チョッパー４１を装備する仕様機種と装備しない機種とに機能分けが可能であり、チョッパー４１をオプションとする使い方ができる。
そして、チョッパー４１を備えない既存の機種に対しても、チョッパー４１を後付けすることができる。
【００３２】
〔別実施形態〕
（１）  排ワラ処理装置の一例としてチョッパー４１を例示したが、円盤カッターや結束装置等を排ワラ処理装置として含めてもよい。
（２）  排ワラ処理装置の開放方向としては、左右方向だけでなく上下方向であってもよく、カバー５５の開放方向を左右方向に設定してもよい。
（３）  穀粒貯留装置９としては、アンローダを備えないグレンホッパ型のものであってもよい。
【図面の簡単な説明】
【００３３】
【図１】コンバインの全体側面図
【図２】コンバインの全体平面図
【図３】脱穀装置の後半部とチョッパーとを示す縦断側面図
【図４】チョッパーを覆う外装ケースとカバーを取り付けた支持フレームを、機体フレームに装着した状態を示す側面図
【図５】支持フレームを、機体フレームから分離した状態を示す側面図
【図６】外装ケースを支持フレームに対して開放した状態を示す側面図
【図７】支持フレームを示す背面図
【図８】支持フレームと機体フレームとの着脱部位を示す縦断側面図
【図９】外装ケースを支持フレームに対して閉じ状態に維持するロック機構を示す側面図
【図１０】外装ケースに対するカバーの取付け構造を示す平面図
【図１１】（イ）は外装ケースに対するカバーの揺動開閉支点部を示す要部拡大図であり、（ロ）（ハ）は別実施構造を示す要部拡大図
【図１２】外装ケースに対するカバーのロック機構を示す横断平面図
【符号の説明】
【００３４】
２                  走行機体
３                  脱穀装置
９                  穀粒貯留装置
１６                扱室
４７                支点部
５５                カバー
５６                揺動開閉支点部
５６Ａ              支点ピン
５６Ｃ              支持ボス
【図１】
2005102505.tif 000003
【図２】
2005102505.tif 000004
【図３】
2005102505.tif 000005
【図４】
2005102505.tif 000006
【図５】
2005102505.tif 000007
【図６】
2005102505.tif 000008
【図７】
2005102505.tif 000009
【図８】
2005102505.tif 000010
【図９】
2005102505.tif 000011
【図１０】
2005102505.tif 000012
【図１１】
2005102505.tif 000013
【図１２】
2005102505.tif 000014